(57)【要約】【課題】蓋部材に支持される燃料ポンプの吸入口を燃料タンク内の低部に位置させながら、燃料タンクの形状に合わせて最適位置に蓋部材を取り付けることができる燃料供給装置を供する。【解決手段】燃料タンク30の開口を閉塞して液密に締結される蓋部材50により燃料ポンプ40が該燃料タンク30内に支持され、燃料ポンプ40の吸入口43にフィルタが設けられ、燃料ポンプ40の吐出口から吐出する燃料を蓋部材50を貫流させて内燃機関に供給する燃料供給装置において、蓋部材50の内面から燃料タンク内に突設されたステー55が燃料タンク30内の低部に向かって下方に延出し、燃料ポンプ40が吸入口43を下端に位置させてステー55にその先端側で支持され、フィルタ45がステー55の先端側長手方向に沿って配設される燃料供給装置。【選択図】図２
2010144553.tif 000002
【特許請求の範囲】
【請求項１】
燃料タンクの開口を閉塞して液密に締結される蓋部材により燃料ポンプが該燃料タンク内に支持され、
前記燃料ポンプの吸入口にフィルタが設けられ、
前記燃料ポンプの吐出口から吐出する燃料を前記蓋部材を貫流させて内燃機関に供給する燃料供給装置において、
前記蓋部材の内面から燃料タンク内に突設されたステーが燃料タンク内の低部に向かって下方に延出し、
前記燃料ポンプが前記吸入口を下端に位置させて前記ステーにその先端側で支持され、
前記フィルタが前記ステーの先端側長手方向に沿って配設されることを特徴とする燃料供給装置。
【請求項２】
前記ステーを延出方向に長尺の細長い長尺平板部材とし、
該ステーの一方の板平面に沿って前記燃料ポンプが配設され、他方の板平面に前記フィルタが配設されることを特徴とする請求項１記載の燃料供給装置。
【請求項３】
前記蓋部材は、燃料タンクの底板に形成された前記開口を閉塞し、
前記蓋部材の内面から突設される前記ステーは、板平面上でヘの字に屈曲した形状をしており、
前記ステーは板平面を鉛直にして屈曲した先端側が斜め下方に延びるように配設され、
前記ステーの先端側に前記燃料ポンプが長手方向を沿わせて支持されることを特徴とする請求項２記載の燃料供給装置。
【請求項４】
有底筒状をなし下部に連通孔を有する弾性ブーツ部材が、前記ステーの斜め下方に延びた先端側に沿って支持された前記燃料ポンプと前記フィルタの下部を収容して前記ステーに支持されることを特徴とする請求項３記載の燃料供給装置。
【請求項５】
前記フィルタは前記蓋部材より低い位置に配置され、
前記フィルタから前記燃料ポンプに燃料を供給する吸入連結管は、上流から下流に向けて下方向に傾斜していることを特徴とする請求項１から請求項４までのいずれか１項記載の燃料供給装置。
【請求項６】
前記フィルタは前記燃料ポンプの周囲に複数配設されることを特徴とする請求項１から請求項５までのいずれか１項記載の燃料供給装置。
【発明の詳細な説明】
【技術分野】
【０００１】
本発明は、内燃機関に燃料タンクから燃料を供給する燃料供給装置に関する。
【背景技術】
【０００２】
燃料タンク内に燃料ポンプが配設された燃料供給装置については、既に開示されている（例えば、特許文献１参照）。
【０００３】
【特許文献１】特開２００８−８２２６３号公報
【０００４】
同特許文献１に開示された燃料供給装置は、燃料タンクの底板に形成された開口を閉塞する蓋部材に燃料ポンプが立設され、同燃料ポンプの下部に設けられた吸入口にフィルタが設けられている。
【０００５】
燃料タンク内の燃料ポンプの下部の吸入口からフィルタを介して燃料タンク内の燃料を吸入し、蓋部材の外側に設けられた燃料吐出ポートから吐出し、燃料パイプを介して内燃機関に供給する。
【発明の開示】
【発明が解決しようとする課題】
【０００６】
燃料タンク内の燃料を吸入する燃料ポンプが蓋部材に立設されるので、蓋部材は燃料タンクの底板の最も低い場所に取り付けられる必要があり、そのため取付け場所が限定され、取付け位置の自由度が小さい。
【０００７】
また、蓋部材が取り付けられる燃料タンクの底板の開口部分は、燃料ポンプが立設される蓋部材が取り付けられるに十分な面積を必要とするので、益々取付け場所が限定されることになり、場合によっては燃料タンクの形状に影響を与えることになり、燃料タンクの形状の自由度も制限する。
【０００８】
本発明は、かかる点に鑑みなされたもので、その目的とする処は、蓋部材に支持される燃料ポンプの吸入口を燃料タンク内の低部に位置させながら、蓋部材の取付け場所の自由度が大きく、燃料タンクの形状に合わせて最適位置に蓋部材を取り付けることができる燃料供給装置を供する点にある。
【課題を解決するための手段】
【０００９】
上記目的を達成するために、請求項１記載の発明は、燃料タンクの開口を閉塞して液密に締結される蓋部材により燃料ポンプが該燃料タンク内に支持され、前記燃料ポンプの吸入口にフィルタが設けられ、前記燃料ポンプの吐出口から吐出する燃料を前記蓋部材を貫流させて内燃機関に供給する燃料供給装置において、前記蓋部材の内面から燃料タンク内に突設されたステーが燃料タンク内の低部に向かって下方に延出し、前記燃料ポンプが前記吸入口を下端に位置させて前記ステーにその先端側で支持され、前記フィルタが前記ステーの先端側長手方向に沿って配設される燃料供給装置とした。
【００１０】
請求項２記載の発明は、請求項１記載の燃料供給装置において、前記ステーを延出方向に長尺の細長い長尺平板部材とし、該ステーの一方の板平面に沿って前記燃料ポンプが配設され、他方の板平面に前記フィルタが配設されることを特徴とする。
【００１１】
請求項３記載の発明は、請求項２記載の燃料供給装置において、前記蓋部材は、燃料タンクの底板に形成された前記開口を閉塞し、前記蓋部材の内面から突設される前記ステーは、板平面上でヘの字に屈曲した形状をしており、前記ステーは板平面を鉛直にして屈曲した先端側が斜め下方に延びるように配設され、前記ステーの先端側に前記燃料ポンプが長手方向を沿わせて支持されることを特徴とする。
【００１２】
請求項４記載の発明は、請求項３記載の燃料供給装置において、有底筒状をなし下部に連通孔を有する弾性ブーツ部材が、前記ステーの斜め下方に延びた先端側に沿って支持された前記燃料ポンプと前記フィルタの下部を収容して前記ステーに支持されることを特徴とする。
【００１３】
請求項５記載の発明は、請求項１から請求項４までのいずれか１項記載の燃料供給装置において、前記フィルタは前記蓋部材より低い位置に配置され、前記フィルタから前記燃料ポンプに燃料を供給する吸入連結管は、上流から下流に向けて下方向に傾斜していることを特徴とする。
【００１４】
請求項６記載の発明は、請求項１から請求項５までのいずれか１項記載の燃料供給装置において、前記フィルタは前記燃料ポンプの周囲に複数配設されることを特徴とする。
【発明の効果】
【００１５】
請求項１記載の燃料供給装置によれば、蓋部材の内面から燃料タンク内に突設されたステーが燃料タンク内の低部に向かって下方に延出し、燃料ポンプが吸入口を下端に位置させて該ステーにその先端側で支持され、フィルタが該ステーの先端側長手方向に沿って配設されるので、蓋部材に突設されるステーを燃料タンクの形状に合わせて燃料タンク内の低部に向かって下方に延出することで、燃料ポンプの吸入口を燃料タンク内の低部に位置させて貯留燃料が少量となっても常に安定して燃料を内燃機関Ｅに供給することができるとともに、燃料ポンプは蓋部材に直接支持されるのではなくステーを介して支持されるので、蓋部材の取付け場所の自由度が大きく、燃料タンクの形状に合わせて最適位置に蓋部材を取り付けることができる。
【００１６】
請求項２記載の燃料供給装置によれば、ステーを延出方向に長尺の細長い長尺平板部材とし、該ステーの一方の板平面に沿って燃料ポンプが配設され、他方の板平面にフィルタが配設されるので、ステーの近傍に燃料ポンプとフィルタをコンパクトに集約させることができ、燃料タンク内に挿入する開口を小さくして蓋部材の取付け場所の自由度を益々大きくすることができる。
【００１７】
請求項３記載の燃料供給装置によれば、蓋部材は、燃料タンクの底板に形成された開口を閉塞し、蓋部材の内面から突設されるステーは、板平面上でヘの字に屈曲した形状をして、その板平面を鉛直にして屈曲した先端側が斜め下方に延びるように配設され、その先端側に燃料ポンプがその長手方向を沿わせて支持されるので、燃料ポンプを燃料タンク内の低い位置に配置すべくステーの斜め下方に延びた先端側に燃料ポンプが支持されても、ステーは板平面を鉛直に維持した姿勢にあるので、ステーの強度を確保することができる。
【００１８】
請求項４記載の燃料供給装置によれば、有底筒状をなし下部に連通孔を有する弾性ブーツ部材が、ステーの斜め下方に延びた先端側に沿って支持された燃料ポンプとフィルタの下部を収容してステーに支持されるので、弾性ブーツ部材に溜まった燃料にステーの先端側に支持された燃料ポンプとフィルタの下部が浸ることになり、車体とともに燃料タンクが揺れて内部の燃料が液面を大きく波立たせることがあっても弾性ブーツ部材内の燃料の面積の小さい液面は上下変動が小さく、燃料ポンプの下部の吸入口が燃料の外に露出する可能性は極めて低く常に安定した燃料の供給ができる。
【００１９】
また、ステーの先端側に支持される燃料ポンプとフィルタの下部を有底筒状の弾性ブーツ部材が収容した状態で、燃料タンクの底板に形成された開口から挿入して燃料タンク内の低部に向けて導入するので、燃料ポンプやフィルタが燃料タンクの内壁面に直接当たるのを弾性ブーツ部材が介在して防止し、燃料ポンプやフィルタおよび燃料タンク内壁を保護することができる。
【００２０】
請求項５記載の燃料供給装置によれば、フィルタは蓋部材より低い位置に配置され、フィルタから燃料ポンプに燃料を供給する吸入連結管は、上流から下流に向けて下方向に傾斜しているので、フィルタでろ過された燃料が燃料ポンプ側に流下するため燃料ポンプによる吸入がより円滑になされ、ポンプの損失を低減することができる。
【００２１】
請求項６記載の燃料供給装置によれば、フィルタは燃料ポンプの周囲に複数配設されるので、簡易かつコンパクトな構成でろ過面積を大きく確保することができる。
【発明を実施するための最良の形態】
【００２２】
以下、本発明に係る一実施の形態について図１ないし図６に基づいて説明する。
本発明に係る燃料供給装置Ｆが組み込まれた燃料タンク30を搭載した自動二輪車１を、図１に図示する。
なお、この明細書または特許請求の範囲において、上下、前後および左右は、車体を基準にしたときの上下、前後および左右を意味するものとする。
【００２３】
自動二輪車１の車体フレームは、前端部のヘッドパイプ２と、ヘッドパイプ２に接続されて後方に延びる１本のメインフレーム３および斜め下方に延びる左右１対のダウンフレーム４，４と、メインフレーム３の後端部に接続されて後方に延びる左右１対のシートレール５，５と、メインフレーム３の後端部とダウンフレーム４，４の下端部を連結する左右１対のセンタフレーム６，６と、センタフレーム６，６の後下部とシートレール５，５の後端部を連結する左右１対のサブフレーム７，７とから構成されている。
【００２４】
ヘッドパイプ２には、下端部に前輪10が軸支されるとともに上端部にハンドル９が取り付けられたフロントフォーク８が操向可能に支持される。
センタフレーム６，６の後下部に設けられたピボットプレート11，11にピボット軸12を介してスイングアーム13が揺動自在に取り付けられている。
スイングアーム13の後端に後輪15が軸支されている。
【００２５】
駆動輪としての後輪15を駆動する動力を発生するパワーユニットＰは、ダウンフレーム４，４およびセンタフレーム６，６に懸架される。
パワーユニットＰは、左右方向（車幅方向）にクランク軸を指向させた横置き配置の内燃機関Ｅとその後方に変速機Ｔとを一体に備える。
【００２６】
このパワーユニットＰの上方には、メインフレーム３に上方からメインフレーム３の左右に跨ぐようにして燃料タンク30が支持され、燃料タンク30の直後方にタンデム型のシート16がシートレール５，５に支持されて設けられている。
【００２７】
左側センタフレーム６の後方下部に設けられたブラケット17にサイドスタンド18の基端部が軸支されており、同サイドスタンド18を立てて自動二輪車１を支えるようにすると、車体は左側に傾斜して支持される。
【００２８】
内燃機関Ｅの若干前傾したシリンダヘッド20の後部に接続され後方に延出した吸気管21にスロットルボディ23が連結され、スロットルボディ23とその後方のエアクリーナ25との間をコネクティングチューブ24が連結している。
なお、吸気管21には燃料噴射弁22が装着されている（図２参照）。
シリンダヘッド20の前部には排気管26が接続され、同排気管26はパワーユニットＰの下面を後方に廻り込んでマフラー27に接続されている。
【００２９】
燃料タンク30は、メインフレーム３を跨ぎ正面視で逆Ｕ字状をなす内側の底板32とその外側を覆う上蓋板31とを合せ、底板32と上蓋板31との外周縁のシームフランジどうしを溶接してタンクを形成したものである。
【００３０】
図３は、上蓋板31を透視して燃料タンク30内を示した上方斜め後方右側から視た斜視図であり、燃料タンク30の後半部分における上蓋板31を２点鎖線で示し、底板32が実線で図示されている。
底板32は、１本のメインフレーム３を上方から跨ぐべく、車幅方向の中央底壁部32ｃが左右底壁部32ａ，32ａより内側壁部32ｂ，32ｂを経て上方に膨出している。
【００３１】
そして、中央底壁部32ｃは、ヘッドパイプ２より後方に若干斜め下向きに延びるメインフレーム３に沿って後方に斜め下向きに傾斜して延びた後、メインフレーム３の後端の後方に廻り込むように下方に屈曲して急傾斜部32csが形成され、急傾斜部32csの下端が後方に屈曲して略水平に延びた水平後端部32crが形成されている。
水平後端部32crの中央が若干凹んで低部となる燃料溜り凹部33が形成されている。
【００３２】
中央底壁部32ｃの急傾斜部32csに移る直前方部分には前後方向に長尺の長円形の開口34が形成され、同開口34の外周部分が環状取付座35となっている。
中央底壁部32ｃの該開口34を下方から燃料タンク30内に挿入された燃料ポンプ40が急傾斜部32csに沿って取り付けられる。
【００３３】
燃料ポンプ40は、前記開口34を閉塞する蓋部材50の内面から突設され屈曲して延出したステー55に支持されている。
図４を参照して、蓋部材50は前記環状取付座35と略同形の長円板部材で、該環状取付座35に略合致して環状取付座35の下面に取り付けられる。
蓋部材50には、そのための取付孔50ｈが複数穿設されている。
【００３４】
該蓋部材50の内面の中央にステー55が突設される。
ステー55は、延出方向に長尺の長尺平板部材であり、その長尺平板部55ａの両側縁は同じ方向に屈曲して側板部55ｓ，55ｓが形成されている。
そして、ステー55は、長尺平板部55ａの板平面上でヘの字に屈曲した形状をしている。
【００３５】
蓋部材50の内面に取り付けられるステー55の基端は、側板部55ｓ，55ｓが互いに内側に屈曲して連結された基端取付板部55ｂを形成し、反対の先端側は側板部55ｓ，55ｓが幅広となって互いに外側に屈曲して取付片55ｃ，55ｃを形成している。
【００３６】
以上のようなステー55の基端取付板部55ｂが蓋部材50の内面中央に溶接されてステー55が突設される。
ステー55の長尺平板部55ａの板平面が蓋部材50の内面に対して垂直になる。
そして、ステー55は、長円形状の蓋部材50の長径方向に斜めに突設し、ヘの字に屈曲した先端側は蓋部材50の内面と同一平面よりも後下方に斜めに延びている。
【００３７】
蓋部材50が環状取付座35に取り付けられると、蓋部材50の内面に突設されたステー55は、図３に示すように、後方に延出した後、ヘの字に屈曲した先端側が燃料タンク30の底板32の中央底壁部32ｃの急傾斜部32csに沿って斜め下方に延出する。
【００３８】
図４を参照して、このステー55のヘの字に屈曲した先端側の長尺平板部55ａの左側板平面に沿って円筒形状をした燃料ポンプ40が配設される。
ステー55の側板部55ｓ，55ｓは、長尺平板部55ａの上下側縁が左側に屈曲して形成されており、長尺平板部55ａの左側板平面に沿って配設される燃料ポンプ40は上下の側板部55ｓ，55ｓに挟まれる。
【００３９】
燃料ポンプ40の下端面には中空円板状の支持基盤56が固着され、支持基盤56の互いに反対方向に延出した突出片56ｃ，56ｃがステー55の側板部55ｓ，55ｓの先端の取付片55ｃ，55ｃに下方から当てがわれて両者をねじ57により締結して燃料ポンプ40がステー55に左側板平面に沿って支持される。
【００４０】
燃料ポンプ40の下端面から突出する吸入ポート部41が支持基盤56の中空部を貫通しており、吸入ポート部41から右方に吸入連結管42が延出し、吸入連結管42がステー55の長尺平板部55ａの下方を右側に抜けたところに燃料吸入口43が設けられている。
【００４１】
すなわち、フィルタ45で吸入ろ過された燃料は、燃料吸入口43から吸入連結管42を介して燃料ポンプ40の仮面に連結する吸入ポート部41へ流れる。
吸入連結管42は、上流から下流に向かって下方に傾斜している。
したがって、フィルタ45でろ過された燃料が燃料ポンプ40側に流下するため燃料ポンプ40による吸入がより円滑になされ、ポンプの損失を低減することができる。
【００４２】
燃料吸入口43には、不織布を用いて袋状に形成されたフィルタ45の開口部が接合されて袋状フィルタ内部のみが燃料吸入口43内と連通して、燃料吸入口43がフィルタ45で覆われた構造をしている。
袋状のフィルタ45は、内部に形成された内部フレーム（図示せず）により形状が維持される。
【００４３】
内部フレームは、燃料吸入口43に下部が固着されてステー55の長尺平板部55ａの先端側を右側板平面に沿って斜め上方に延設されており、したがって、同内部フレームに支持されるフィルタ45は、ステー55の長尺平板部55ａに沿って長尺で長尺平板部55ａと略同じ幅の扁平袋状をなしている（図４参照）。
【００４４】
したがって、ステー55のヘの字に屈曲した長尺平板部55ａの先端側において、一方の左側平面に沿って該ステー55に支持される燃料ポンプ40が配設され、他方の右側板平面に沿ってフィルタ45が燃料ポンプ40の燃料吸入口43に支持されて配設される。
【００４５】
燃料ポンプ40の上部からは吐出ポート部46が延出し、吐出ポート部46に燃料導出管47が連結されている。
燃料導出管47は、吐出ポート部46からステー55に沿ってヘの字に屈曲して蓋部材50の中央部に延び、蓋部材50を貫通して外部に突出し、後方に屈曲して後端に連結端部47ｃを形成している。
【００４６】
燃料ポンプ40の上部の前記吐出ポート部46にはその下側部分にプレッシャレギュレータ48が設けられている。
プレッシャレギュレータ48は、余剰燃料を吐出する燃料吐出口48ａを備え、燃料吐出口48ａは下方で若干斜め前方に向いている。
【００４７】
以上のように、蓋部材50の内面から突設されたステー55のへの字に屈曲した先端側に沿って支持された燃料ポンプ40とフィルタ45の下部を、有底筒状をなす弾性ブーツ部材60が収容する。
【００４８】
図４に示すように、弾性ブーツ部材60は、合成ゴムを素材に製造され、燃料ポンプ40とフィルタ45の下部を収容する有底筒状部61と有底筒状部61から上方に延出する燃料回収通路部62とから主に構成されている。
有底筒状部61は、底壁と上方を開口した概ね四角筒状をなす筒壁からなり、底壁を水平姿勢にすると筒壁は底壁から前方斜め上向きに延びている。
【００４９】
四角筒状の筒壁の左側壁と後壁の交わる角部の下部に連通孔61ｈが穿設されている。
有底筒状部61の相対向する左右側壁の各上端縁から上方に取付片61ｅ，61ｅが対称的に突出しており、取付片61ｅ，61ｅにはスリット61es，61esが形成されている。
【００５０】
有底筒状部61の前壁の右半部が上方に延出して燃料回収通路部62が形成されている。
燃料回収通路部62は、有底筒状部61の前壁の右側端縁から上方に延出した後、左方に屈曲してからさらに上方に延出してクランク状に通路底壁62ａが形成されており、同通路底部62ａの周縁に周壁62ｓが後方に屈曲して形成されている。
【００５１】
したがって、燃料回収通路部62は、通路底壁62ａと周壁62ｓとにより扁平なチャンネル状の通路を構成しており、通路は有底筒状部61の内部に連通している。
この燃料回収通路部62は、有底筒状部61に対して上部が左側に寄っており、下方にいくに従って右方に移って有底筒状部61の右半部に連続している。
周壁62ｓの左側側壁の端縁から取付片62ｅが突出しており、取付片62ｅにはスリット62esが形成されている。
【００５２】
なお、弾性ブーツ部材60が取り付けられるステー55には、上側の側板部55ｓのへの字に屈曲した先端側の前後２か所に支持板58，59が溶接されている。
前側の支持板58は、短尺矩形の板片であり、基端を側板部55ｓに溶接されて左方に突設され、その先端において係止爪58ｃを前後に突出させている。
後側の支持板59は、長尺矩形の板片であり、中央を側板部55ｓに溶接されて左右に突設され、その両先端においてそれぞれ係止爪59ｃを前後に突出させている。
【００５３】
ステー55のへの字に屈曲した先端側に沿って支持された燃料ポンプ40とフィルタ45の下部に、弾性ブーツ部材60の有底筒状部61を下方から被せると、図５に示すように、燃料ポンプ40とフィルタ45の下半部は有底筒状部61に収容され、燃料ポンプ40とフィルタ45の上半部および吐出ポート部46の傾斜した下面に沿って燃料回収通路部62が配置される。
【００５４】
この傾斜した燃料回収通路部62の上部は左方に寄ってステー55より左側（燃料ポンプ40がある側）に位置し、下部は右方に寄ってステー55より右側（フィルタ45がある側）に位置する。
燃料ポンプ40の上部の吐出ポート部46に設けられるプレッシャレギュレータ48の燃料吐出口48ａは、燃料回収通路部62の上端部の通路底壁62ａに対向している。
【００５５】
したがって、プレッシャレギュレータ48の燃料吐出口48ａからは燃料回収通路部62の上部に余剰燃料が吐出され、その吐出した余剰燃料は傾斜した燃料回収通路部62に案内されて右側に流動して有底筒状部61の内部のフィルタ45が収容される右側に回収される。
【００５６】
このように、弾性ブーツ部材60の有底筒状部61を燃料ポンプ40とフィルタ45の下部に被せた後、有底筒状部61から上方に突出した左右の取付片61ｅ，61ｅのスリット61es，61esに、ステー55に溶接した支持板59の左右両端の係止爪59ｃ，59ｃを差し込んで係止して、有底筒状部61を吊設支持する。
【００５７】
また、弾性ブーツ部材60の燃料回収通路部62から突出した取付片62ｅは、燃料ポンプ40の上部に巻き付けるようにして先端のスリット62esに、ステー55に溶接した支持板58の左端係止爪58ｃを差し込むようにして係止して燃料ポンプ40をステー55に固定する（図５参照）。
【００５８】
以上のように、ステー55の先端側に支持される燃料ポンプ40とフィルタ45の下部を弾性ブーツ部材60が収容した状態で、燃料タンク30の底板32の中央底壁部32ｃに形成された開口34から弾性ブーツ部材60の有底筒状部61を先頭にして挿入して後方に向かわせ燃料タンク30内の低部である燃料溜り凹部33に向けて導入する。
【００５９】
そして、図２を参照して、蓋部材50を開口34の外周の環状取付座35にシール部材70を介して所定の位置関係で当接して開口34を閉塞すると、環状取付座35から突設された複数のボルト71が蓋部材50の各取付孔50ｈを貫通するので、同ボルト71にナット72を螺合して緊締することで、蓋部材50は開口34を閉塞して燃料タンク30の底板32に固着され、蓋部材50の内面に突設されたステー55は燃料タンク30内を後方に延出し、への字に屈曲して底板32の急傾斜部32csに沿って斜め下方に延び燃料溜り凹部33に臨む位置に達している。
【００６０】
したがって、図２に示すように、ステー55のへの字に屈曲した先端側に沿って取り付けられた燃料タンク30およびフィルタ45は、燃料タンク30の後部の上蓋板31と底板32の左右中央の両形状に沿って収まっており、これらに被せられた弾性ブーツ部材60の有底筒状部61の底壁は、燃料溜り凹部33内にあり、燃料タンク30の下端の燃料吸入口43も燃料タンク30内で最も低い位置に設けることができる。
【００６１】
開口34を閉塞して燃料タンク30の底板32に固着された蓋部材50からは燃料導出管47が外部に突出しているので、同燃料導出管47の連結端部47ｃに、前記吸気管21に設けられる燃料噴射弁22に一端を連結された燃料パイプ75の他端が連結され、燃料が燃料噴射弁22に供給されるようにする（図２参照）。
【００６２】
本燃料供給装置Ｆは、以上のように構成され、燃料タンク30内の燃料は、燃料タンク30内の低部にある連通孔61ｈを介して弾性ブーツ部材60の有底筒状部61内と連通状態にあり、燃料タンク30内に燃料があるときは、有底筒状部61内にも常に燃料がある。
【００６３】
燃料ポンプ40が駆動されると、燃料タンク30内の貯留燃料は、有底筒状部61内の燃料が有底筒状部61内に収容されたフィルタ45の袋内に吸引される。
これによって、貯留燃料は、袋状のフィルタ45の外側から内側へ流れて、異物が取り除かれる。
フィルタ45を通過した燃料は、燃料吸入口43から吸入連結管42を通って吸入ポート部41に至り、燃料ポンプ40内に吸入される。
【００６４】
燃料ポンプ40内に吸入された燃料は、燃料ポンプ40で昇圧され、吐出ポート部46からプレッシャレギュレータ48に吐出され、プレッシャレギュレータ48で燃料ポンプ40で昇圧された燃料の圧力を内燃機関Ｅの運転状態に応じた適正な圧力に調圧される。
調圧された燃料は、燃料導出管47に送られて蓋部材50を貫流して燃料タンク30の外部に出て、燃料パイプ75に導かれて燃料噴射弁22に供給される。
【００６５】
プレッシャレギュレータ48で昇圧され燃料が適正な圧力を超えているときは、燃料吐出口48ａから余剰燃料が吐出される。
前記したように、余剰燃料は燃料吐出口48ａから弾性ブーツ部材60の燃料回収通路部62の上部に吐出され、傾斜した燃料回収通路部62に案内されて右側に流動して有底筒状部61の内部のフィルタ45が収容される右側に回収されるので、再度吸入され易くなっている。
【００６６】
本燃料供給装置Ｆは、蓋部材50の内面から燃料タンク30内に突設されたステー55が燃料タンク30内の低部に向かって下方に延出し、燃料ポンプ30が燃料吸入口43を下端に位置させて該ステー55にその先端側で支持され、フィルタ45が該ステー55の先端側長手方向に沿って配設されるので、蓋部材50に突設されるステー55を燃料タンク30の形状に合わせて燃料タンク30内の低部に向かって下方に延出することで、燃料ポンプ40の燃料吸入口43を燃料タンク内の低部に位置させて貯留燃料が少量となっても常に安定して燃料を内燃機関Ｅに供給することができるとともに、燃料ポンプ30は蓋部材50に一体に取り付けられるのではないので、蓋部材50の取付け場所の自由度が大きく、燃料タンク30の形状に合わせて最適位置に蓋部材50を取り付けることができ、本燃料供給装置Ｆでは、燃料噴射弁22に近い中央底壁部32ｃの急傾斜部32csに隣接して開口34を設けて蓋部材50を取り付けている。
【００６７】
ステー55を延出方向に長尺の細長い長尺平板部材とし、該ステー55の一方の左側板平面に沿って燃料ポンプ40が配設され、他方の右側板平面にフィルタ45が配設されるので、ステー55の近傍に燃料ポンプ40とフィルタ45をコンパクトに集約させることができ、燃料タンク30内に挿入する開口を小さくして蓋部材50の取付け場所の自由度を益々大きくすることができる。
【００６８】
蓋部材50は、燃料タンク30の底板32に形成された開口34を閉塞し、蓋部材50の内面から突設されるステー55は、板平面上でヘの字に屈曲した形状をして、その板平面を鉛直にして屈曲した先端側が斜め下方に延びるように配設され、その先端側に沿って燃料ポンプ40が支持されるので、燃料ポンプ40を燃料タンク内の低い位置に配置すべくステーの斜め下方に延びた先端側に燃料ポンプ40が支持されても、ステー55は板平面を鉛直に維持した姿勢にあるので、ステー55の強度を確保することができる。
【００６９】
なお、本実施の形態のステー55は、板平面を鉛直に維持した長尺平板部55ａの両側縁に同じ方向に屈曲して側板部55ｓ，55ｓが形成されているので、強度および剛性は十分確保される。
【００７０】
弾性ブーツ部材60の下部に連通孔61ｈを有する有底筒状部61が、ステー55の斜め下方に延びた先端側に沿って支持された燃料ポンプ40とフィルタ45の下部を収容してステー55に支持されるので、有底筒状部61に溜まった燃料にステーの先端側に支持された燃料ポンプとフィルタの下部が浸ることになり、貯留燃料が少量であるときに、車体とともに燃料タンク30が揺れて内部の燃料が液面を大きく波立たせることがあっても有底筒状部61内の燃料の面積の小さい液面は上下変動が小さく、燃料ポンプ40の下部の燃料吸入口43が燃料の外に露出する可能性は極めて低く常に安定した燃料の供給ができる。
【００７１】
また、ステー55の先端側に支持される燃料ポンプ40とフィルタ45の下部を弾性ブーツ部材の有底筒状部61が収容した状態で、燃料タンク30の底板32に形成された開口34から挿入して燃料タンク30内の低部である燃料溜り凹部33に向けて導入するので、燃料ポンプ40やフィルタ45が燃料タンク30の内壁面に直接当たるのを弾性ブーツ部材60が介在して防止し、燃料ポンプ40やフィルタ45および燃料タンクの内壁を保護することができる。
【００７２】
なお、燃料溜り凹部33を左右底壁部32ａ，32ａより低く形成して、燃料タンク30内の最も低い位置に設定することで、フィルタ45の周辺に燃料タンク30内の燃料が常に集まるようにして燃料を効率良く吸入できるようにすることができる。
【００７３】
次に、燃料ポンプ40の周囲に２つのフィルタ81，82を配設した例を図７に示す。
ステー55が燃料ポンプ40を支持する構造は、前記実施の形態と同じであり（同じ符号を使用する）、ステー55に沿って右側に配置されるフィルタ81は、前記フィルタ45と同じように配置され、第２のフィルタ82は、燃料ポンプ40に沿って左側にフィルタ81と対称に配置される。
【００７４】
燃料ポンプ40の下端面から突出する吸入ポート部41には両フィルタ81，82の下部から吸入連結管81ｐ，82ｐが延びている。
両フィルタ81，82の下端部は、燃料タンク30内の低部である燃料溜り凹部33に入っている。
燃料ポンプ40の周囲に燃料ポンプ40に沿って長尺の２つのフィルタ81，82が配設されるので、簡易かつコンパクトな構成でろ過面積を大きく確保することができる。
なお、図７には、弾性ブーツ部材は省略している。
【００７５】
また、燃料ポンプ40の周囲に３つのフィルタ91，92，93を配設した例を図８に示す。
本例は、前記図７に示した例のフィルタ81，82に相当するフィルタ91，92の位置が変位しており、フィルタ91が燃料タンク30の底板32に幾らか接近し、フィルタ92が底板32から幾らか離れている。
【００７６】
そして、第３のフィルタ93が右側のフィルタ91に沿って平行に配設されている。
ただし、フィルタ93はフィルタ91が底板32に接近しているのに対して底板32から離れていて、フィルタ91とフィルタ93は互いに上下にずれている。
少なくともフィルタ91，92は、その下端部が燃料タンク30内の低部である燃料溜り凹部33に入っている。
【００７７】
燃料ポンプ40の下端面から突出する吸入ポート部95は比較的に長く、吸入ポート部95の基端側にフィルタ91，92から吸入連結管91ｐ，92ｐが延出し、吸入ポート部95の先端側に底板32から離れた側にずれたフィルタ93から吸入連結管93ｐが延出している。
【００７８】
第３のフィルタ93はフィルタ91に沿って配設されているだけなので、大きく嵩張ることはなく、簡易かつコンパクトな構成でろ過面積を益々大きく確保することができる。
図８においても、弾性ブーツ部材は省略している。
【図面の簡単な説明】
【００７９】
【図１】本発明の一実施の形態に係る燃料供給装置が組み込まれた燃料タンクを搭載した自動二輪車の全体側面図である。
【図２】燃料タンク近傍の側面図である。
【図３】上蓋板を透視して燃料タンク内の燃料供給装置を示した斜視図である。
【図４】燃料供給装置から弾性ブーツ部材を外した状態を示す斜視図である。
【図５】燃料供給装置に弾性ブーツ部材を取り付けた状態を示す斜視図である。
【図６】燃料供給装置の断面図である。
【図７】フィルタを２つ備えた燃料供給装置の要部を示す斜視図である。
【図８】フィルタを３つ備えた燃料供給装置の要部を示す斜視図である。
【符号の説明】
【００８０】
Ｐ…パワーユニット、Ｅ…内燃機関、１…自動二輪車、２…ヘッドパイプ、３…メインフレーム、20…シリンダヘッド、21…吸気管、22…燃料噴射弁、23…スロットルボディ、25…エアクリーナ、
30…燃料タンク、31…上蓋板、32…底板、32ａ…底壁部、32ｃ…中央底壁部、33…燃料溜り凹部、34…開口、35…環状取付座、
Ｆ…燃料供給装置、40…燃料ポンプ、41…吸入ポート部、42…吸入連結管、43…燃料吸入口、45…フィルタ、46…吐出ポート部、47…燃料導出管、48…プレッシャレギュレータ、48ａ…燃料吐出口、
50…蓋部材、55…ステー、55ａ…長尺平板部、55ｓ…側板部、55ｂ…基端取付壁、55ｃ…取付片、56…支持基盤、57…ねじ、58，59…支持板、
60…弾性ブーツ部材、61…有底筒状部、61ｈ…連通孔、62…燃料回収通路部、
70…シール部材、71…ボルト、72…ナット、75…燃料パイプ。
81，82…フィルタ、81ｐ，82ｐ…吸入連結管、
91，92，93…フィルタ、91ｐ，92ｐ，93ｐ…吸入連結管、95…吸入ポート部。
【図１】
2010144553.tif 000003
【図２】
2010144553.tif 000004
【図３】
2010144553.tif 000005
【図４】
2010144553.tif 000006
【図５】
2010144553.tif 000007
【図６】
2010144553.tif 000008
【図７】
2010144553.tif 000009
【図８】
2010144553.tif 000010